(57)【特許請求の範囲】
【請求項１】
固定テーブル及び前記固定テーブル上を往復移動する往復テーブルを有するプッシャ台を備えるメダルプッシャゲーム機であって、
前記固定テーブルの側部に設けられ、前記往復テーブルの往復移動にともない前記固定テーブル上のメダルの一部を回収する回収孔と、
前記固定テーブルに対して固定された回転支持部と、
前記回転支持部の回転軸を中心に回転可能に設けられ、前記回転軸回りに回転移動することにより前記回収孔の大きさを変更する遮蔽部分と、前記遮蔽部分に一体的に設けられ作業者が操作可能な操作部とを有する遮蔽部材と、
前記遮蔽部材の回転位置を保持する回転保持部と
前記遮蔽部材をカバーし、前記固定テーブル側から前記操作部及び前記回転保持部を操作する窓部を有するカバー部材とを備えること、
を特徴とするメダルプッシャゲーム機。
【請求項２】
固定テーブル及び前記固定テーブル上を往復移動する往復テーブルを有するプッシャ台を備えるメダルプッシャゲーム機であって、
前記固定テーブルの側部に設けられ、前記往復テーブルの往復移動にともない前記固定テーブル上のメダルの一部を回収する回収孔と、
前記固定テーブルに対して固定された回転支持部と、
前記回転支持部の回転軸を中心に回転可能に設けられ、前記回転軸回りに回転移動することにより前記回収孔の大きさを変更する遮蔽部分と、前記遮蔽部分に一体的に設けられ作業者が操作可能な操作部とを有する遮蔽部材と、
前記遮蔽部材の回転位置を保持する回転保持部とを備え、
前記回収孔は、前記固定テーブルの左側及び右側にそれぞれ設けられ、
前記遮蔽部材は、板状の部材であり、
前記固定テーブルに対して固定され、前記遮蔽部材が装着され、前記回転保持部を形成する部分が前記回転支持部を形成する部分を介して対向するように２箇所設けられた遮蔽部材装着部材を備えること、
を特徴とするメダルプッシャゲーム機。
【請求項３】
請求項１又は請求項２に記載のメダルプッシャゲーム機において、
前記固定テーブルのメダル移動領域は、表面を法線方向から見たときに、前記往復テーブルの移動範囲よりも手前側の領域が、手前側に至るほど左右方向の長さが大きくなる拡張部分を有し、
前記回収孔は、前記拡張部分の左右方向外側に設けられていること、
を特徴とするメダルプッシャゲーム機。
【請求項４】
請求項１から請求項３までのいずれか１項に記載のメダルプッシャゲーム機において、
前記遮蔽部材の前記遮蔽部分は、前記回転支持部側に中心を有する円の円弧状又は弦状の外縁部を有すること、
を特徴とするメダルプッシャゲーム機。
【請求項５】
請求項１から請求項４までのいずれか１項に記載のメダルプッシャゲーム機において、
前記遮蔽部材の前記操作部の形状は、前記回転支持部の回転軸を中心とする円の円弧であること、
を特徴とするメダルプッシャゲーム機。
【請求項６】
請求項１から請求項５までのいずれか１項に記載のメダルプッシャゲーム機において、
前記遮蔽部材を、前記回転支持部の中心軸を中心に回転駆動する駆動部と、
前記駆動部を制御する制御部とを備えること、
を特徴とするメダルプッシャゲーム機。
【発明の詳細な説明】
【技術分野】
【０００１】
本発明は、メダルのペイアウト率を調整する回収孔を備えるメダルプッシャゲーム機に関するものである。
【背景技術】
【０００２】
従来、メダルプッシャゲーム機は、メダルのペイアウト率を調整するために、固定テーブルの側部に親落ち孔といわれる回収孔が設けてあった（例えば特許文献１）。
しかし、従来のメダルプッシャゲーム機は、回収孔の大きさを調整するために、遮蔽板を奥行方向にスライドしていた。このため、従来のメダルプッシャゲーム機は、遮蔽板を奥側に移動するための大きなスペースを確保しなければならず、また、遮蔽板のスライド機構が必要になり構造が複雑であった。
【先行技術文献】
【特許文献】
【０００３】
【特許文献１】特開２０１０−６８８１８号公報
【発明の概要】
【発明が解決しようとする課題】
【０００４】
本発明の課題は、回収孔の大きさを変更する構成を省スペースにでき、また、構成を簡単にできるメダルプッシャゲーム機を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
第１の発明は、固定テーブル（６２）及び前記固定テーブル上を往復移動する往復テーブル（６１）を有するプッシャ台（６）を備えるメダルプッシャゲーム機であって、
前記固定テーブルの側部に設けられ、前記往復テーブルの往復移動にともない前記固定テーブル上のメダルの一部を回収する回収孔（７）と、前記固定テーブルに対して固定された回転支持部（２０）と、前記回転支持部の回転軸（２０ａ）を中心に回転可能に設けられ、前記回転軸回りに回転移動することにより前記回収孔の大きさを変更する遮蔽部分（４１）と、前記遮蔽部分に一体的に設けられ作業者が操作可能な操作部（４２）とを有する遮蔽部材（４０）と、前記遮蔽部材の回転位置を保持する回転保持部（３０）とを備えること、を特徴とするメダルプッシャゲーム機である。
第２の発明は、第１の発明のメダルプッシャゲーム機において、前記遮蔽部材（４０）の前記遮蔽部分（４１）は、前記回転支持部（２０）側に中心を有する円の円弧状又は弦状の外縁部（４１ｃ）を有すること、を特徴とするメダルプッシャゲーム機である。
第３の発明は、第２の発明のメダルプッシャゲーム機において、前記固定テーブル（６２）のメダル移動領域は、表面を法線方向から見たときに、前記往復テーブル（６１）の移動範囲よりも手前側の領域が、手前側に至るほど左右方向の長さが大きくなる拡張部分（６３）を有し、前記回収孔（７）は、前記拡張部分の左右方向外側に設けられていること、を特徴とするメダルプッシャゲーム機である。
第４の発明は、第１から第３までのいずれかの発明のメダルプッシャゲーム機において、前記遮蔽部材（４０）の前記操作部（４２）の形状は、前記回転支持部の回転軸（２０ａ）を中心とする円の円弧であること、を特徴とするメダルプッシャゲーム機である。
第５の発明は、第１から第４までのいずれかの発明のメダルプッシャゲーム機において、前記遮蔽部材をカバーし、前記固定テーブル（６２）側から前記操作部（４２）及び前記回転保持部（３０）を操作する窓部（５１）を有するカバー部材（５０）を備えること、を特徴とするメダルプッシャゲーム機である。
第６の発明は、第１から第５までのいずれかの発明のメダルプッシャゲーム機において、前記回収孔（７）は、前記固定テーブル（６２）の左側及び右側にそれぞれ設けられ、
前記遮蔽部材（４０）は、板状の部材であり、前記固定テーブルに対して固定され、前記遮蔽部材が装着され、前記回転保持部（３０）を形成する部分（１２ｃ，１２ｄ）が前記回転支持部（２０）を形成する部分（１２ｂ）を介して対向するように２箇所設けられた遮蔽部材装着部材（１２）を備えること、を特徴とするメダルプッシャゲーム機である。
第７の発明は、第１から第６までのいずれかの発明のメダルプッシャゲーム機において、前記遮蔽部材（４０）を、前記回転支持部（２０）の中心軸（２０ａ）を中心に回転駆動する駆動部と、前記駆動部を制御する制御部とを備えること、を特徴とするメダルプッシャゲーム機である。
【発明の効果】
【０００７】
本発明によれば、以下の効果を奏することができる。
（１）本発明は、操作部を操作することにより、遮蔽部材が回転軸回りに回転移動して回収孔の大きさを変更するので、遮蔽部分の最大外形部の回転半径分のスペースが奥行方向にあれば、回収孔の大きさを変更できるため、回収孔の大きさを変更する構成を省スペースにできる。また、遮蔽部材を回転移動する構成であるので、遮蔽部材を直動させるスライド機構が不要であり、構成を簡単にできる。
（２）本発明は、遮蔽部分が、回転支持部側に中心を有する円の円弧状又は弦状の外縁部を有するので、奥行方向のスペースが小さくても、円の半径分のスペースがあれば、回転軸回りに回転移動できる。
【０００８】
（３）本発明は、固定テーブルの手前側の領域に拡張部分を有している。この場合、拡張部分よりも外側のゲーム機内部の領域は、奥側に構成部品を設置するために十分なスペースがない。本発明は、このように十分にスペースがない場合であっても、前述したように、遮蔽部分の移動スペースを小さくできるので、遮蔽部材を配置できる。
（４）本発明は、遮蔽部材の操作部の形状が、回転支持部を中心とする円の円弧であるので、操作部を円弧に沿って同一半径で回転移動するように操作できるため、操作性を向上できる。
【０００９】
（５）本発明は、カバー部材が遮蔽部材をカバーし、固定テーブル側から操作部及び回転保持部を操作する窓部を有するので、カバー部材で遮蔽部材をカバーして、回収孔をプレイヤから見えにくい構造にできるとともに、良好な操作性を維持できる。
（６）本発明は、遮蔽部材が板状の部材であり、また、遮蔽部材装着部材には、回転保持部を形成する部分が回転支持部を形成する部分を介して対向するように２箇所設けられているので、遮蔽部材及び遮蔽部材装着部材を左右で共通化でき、低コストである。
（７）本発明は、駆動部が遮蔽部材を回転支持部を中心に回転駆動すればいいので、例えば、ＤＣモータの回転軸を回転支持部の回転軸に直接設けることができるため、構造を簡単にできる。
【図面の簡単な説明】
【００１０】
【図１】実施形態のゲーム機１の斜視図である。
【図２】実施形態のプッシャ台６近傍の構成の三面図である。
【図３】実施形態の親落ち孔７近傍の上面図の拡大図である。
【図４】実施形態の親落ち孔７近傍の正面図の拡大図である。
【図５】実施形態の親落ち孔７近傍の断面図の拡大図である。
【図６】実施形態の親落ち孔７近傍の断面図の拡大図である。
【図７】比較例の親落ち孔１０７近傍を示す上面図である。
【図８】比較例の親落ち孔１０７近傍の断面図の拡大図である。
【発明を実施するための形態】
【００１１】
（実施形態）
以下、図面等を参照して、本発明の実施形態について説明する。
図１は、実施形態のゲーム機１の斜視図である。
図１に示すように、ゲーム機１（メダルプッシャゲーム機）は、主にゲームセンタ等の店舗等に設置される装置である。ゲーム機１は、プレイ領域Ｆにプッシャ台６が配置されたメダルプッシャゲームを行う装置である。プレイ領域Ｆとは、ゲーム盤５、プッシャ台６等の装置が配置され、メダルＭを移動させるプレイが実際に行われる領域をいう。
【００１２】
ゲーム機１は、ケース２、ウィンドウ３、メダル投入装置４、ゲーム盤５（盤面）、プッシャ台６、親落ち孔７（回収孔）、メダル獲得孔８、メダル払い出し口９を備える。
ケース２は、ゲーム機１の筐体である。
ウィンドウ３は、ゲーム機１内部のプレイ領域Ｆとゲーム機１の外部とを仕切る部材である。ウィンドウ３は、ゲーム機１の手前側Ｙ１に設けられている。ウィンドウ３は、外部からプレイ領域Ｆを視認できるように、透明な材料（例えばガラス、アクリル樹脂等）により形成される。
【００１３】
メダル投入装置４は、プレイ領域ＦにメダルＭを投入するために、プレイヤが投入操作をする装置である。メダル投入装置４は、ケース２の手前側Ｙ１に設けられた操作パネル２ａに配置されている。
メダル投入装置４は、案内溝４ａの端部に設けられたメダル投入孔４ｃに、プレイヤがメダルＭを投入するようになっている。メダル投入孔４ｃには、投入されたメダルＭを検出するメダル投入センサ（図示せず）が設けられている。メダル投入センサは、例えば光学センサであり、メダルＭを検出すると、検出情報を制御部（図示せず）に出力する。制御部は、メダル投入センサ４ｄの出力に応じて、メダル送出部（図示せず）を駆動して、ゲーム盤５の上側Ｚ２に設けられたメダル放出部（図示せず）からゲーム盤５にメダルＭを放出する。
【００１４】
ゲーム盤５は、表面が手前側Ｙ１を向くように配置されている。ゲーム盤５の上部には、メダル放出部（図示せず）が設けられており、メダル投入装置４にメダルＭが投入されると、制御部（図示せず）がメダル放出部からメダルＭを放出するようなっている。ゲーム盤５は、このメダル放出部から放出されたメダルＭを落下させる部材である。
【００１５】
プッシャ台６は、ゲーム盤５よりも下側Ｚ１に設けられている。プッシャ台６は、ゲーム盤５を落下してきたメダルＭが載置できる範囲に設けられている。プッシャ台６は、載置されたメダルＭを徐々に手前側Ｙ１に移動させて、メダル獲得孔８に落下させる。
【００１６】
プッシャ台６は、固定テーブル６２と、固定テーブル６２上を奥行方向Ｙに往復移動する往復テーブル６１とを備えている。
往復テーブル６１は、ゲーム盤５から落下してきたメダルＭを載置し、往復移動によってメダルＭをゲーム盤５の下側Ｚ１に当接させて、玉突きのように固定テーブル６２に押し出すように構成されている。
固定テーブル６２は、往復テーブル６１から落下してきたメダルＭや、ゲーム盤５から落下してきたメダルＭを直接載置する。固定テーブル６２は、往復テーブル６１の往復移動によって、メダルＭを往復テーブル６１の手前側Ｙ１の側面６１ａに当接させて、玉突きのようにメダル獲得孔８に落下させるように構成されている。固定テーブル６２は、ケース２に対して固定されている。
【００１７】
固定テーブル６２のメダル移動領域は、表面を上側（表面の法線方向）から見たときに、往復テーブル６１の移動範囲よりも手前側Ｙ１の領域に、拡張部分６３を有する。拡張部分６３は、手前側Ｙ１に至るほど左右方向Ｘの長さが大きくなるように形成されている（図２（ａ）に示す傾き方向Ａ参照）。
拡張部分６３を設ける理由は、例えば、以下の通りである。
（１）メダルＭが広がりながら移動するように見せるためである。
（２）固定テーブル６２上のメダルＭの流れを奥側Ｙ２から手前側Ｙ１に至る程遅くする。つまり、奥側Ｙ２では、往復テーブル６１によってメダルＭが手前側Ｙ１に押し出す作用を、プレイヤに分かりやすくするためである。また、固定テーブル６２上のメダルＭの流れを奥側Ｙ２から手前側Ｙ１に至る程遅くすることにより、メダルＭが親落ち孔７に回収されていることを、プレイヤに気付かれにくくするためである。
【００１８】
親落ち孔７は、固定テーブル６２の拡張部分６３の左側Ｘ１及び右側Ｘ２の外側に、それぞれ設けられている（図２（ｂ）参照）。親落ち孔７は、固定テーブル６２上のメダルＭの一部を回収する回収孔である。親落ち孔７は、固定テーブル６２上のメダルＭが、往復テーブル６１の往復移動にともない往復テーブル６１の手前側側面６１ａによって手前側Ｙ１に押し出される場合に、左右方向Ｘに移動するメダルＭを回収する。親落ち孔７に落下したメダルＭは、ゲーム機１内部のメダル収容ホッパ（図示せず）に導かれる。
親落ち孔７の大きさは、調整可能であり、ペイアウト率（メダル投入数に対するメダル払い出し数の割合）を調整できるようになっている。親落ち孔７近傍の構成は、後述する。
【００１９】
メダル獲得孔８は、プッシャ台６よりも手前側Ｙ１に設けられた開口孔であり、プッシャ台６に押し出されたメダルＭが落下する。メダル獲得孔８に落下したメダルＭは、メダル払い出し装置（図示せず）により、メダル払い出し口９に払い出される。
【００２０】
図２は、実施形態のプッシャ台６近傍の構成の三面図である。
図２（ａ）は、上面図（上側Ｚ２（固定テーブル６２表面の法線方向）から見た図）であり、図２（ｂ）は、正面図（手前側Ｙ１から見た図）であり、図２（ｃ）は、図２のＣ−Ｃ部矢視断面図である。
図３は、実施形態の親落ち孔７近傍の上面図の拡大図（図２（ａ）の矢印III部拡大図）である。
図４は、実施形態の親落ち孔７近傍の正面図の拡大図（図２（ｂ）の矢印IV部拡大図）である。
図５、６は、実施形態の親落ち孔７近傍の断面図の拡大図（図２（ｃ）の矢印Ｖ部拡大図）である。
図５は、親落ち孔７の大きさが小さい状態、図６は、親落ち孔７の大きさが大きい状態を示す。
なお、内部構成を説明するために、図２（ｂ）、図３〜図４は、カバー５０を取り外した状態を示し、図２（ｃ）は、カバー５０を二点鎖線で示す。
【００２１】
図２に示すように、ゲーム機１は、ブラケット１１、ブラケット１２（遮蔽板装着部材）、回転支持部２０、回転保持部３０、遮蔽板４０（遮蔽部材）、カバー５０を備える。
ブラケット１１は、固定テーブル６２の拡張部分６３の左右方向Ｘ外側に配置されている。ブラケット１１は、固定テーブル６２に対して固定されている。
図５に示すように、ブラケット１１の下側Ｚ１は、固定テーブル６２との間に隙間を有している。この隙間によって拡張部分６３の左側Ｘ１及び右側Ｘ２に、親落ち孔７を設けるための開口孔７ａがそれぞれ形成される（図４から図６には、開口孔７ａの縁部を太線で示す）。
図３に示すように、ブラケット１１の上面１１ａには、スリット１１ｂが設けられている。スリット１１ｂは、遮蔽板４０を挿通する隙間である。スリット１１ｂは、回転軸２０ａ（後述する）に直交しており、遮蔽板４０が回転移動するときに遮蔽板４０の傾き（矢印θ参照）を防止する。
【００２２】
ブラケット１２は、ブラケット１１の上面１１ａに固定された板材である。ブラケット１２の断面は、Ｌ字状であり、ブラケット１１の上面１１ａから直立する直立部分１２ａを有する。ブラケット１２には、回転支持部２０、回転保持部３０が設けられている。
【００２３】
回転支持部２０は、遮蔽板４０が回転する場合の回転軸２０ａを形成する部分である。回転支持部２０は、ブラケット１２に設けられためネジのネジ孔１２ｄ及びボルト２１により構成される。ボルト２１は、遮蔽板４０及びブラケット１２の直立部分１２ａを、若干の隙間が存在するように締め込まれることにより、遮蔽板４０を回転軸２０ａ回りに回転可能に支持している。回転支持部２０の回転軸２０ａは、拡張部分６３の傾き方向Ａに対して直交している。
【００２４】
回転保持部３０は、遮蔽板４０の回転位置を保持する部分である。回転保持部３０は、ブラケット１２に設けられためネジのネジ孔１２ｃ（回転保持部３０を形成する部分）及びボルト３１により構成される。ボルト３１は、遮蔽板４０を直立部分１２ａとの間に挟み込んだ状態で締め込まれることにより、遮蔽板４０が回転できないようにブラケット１２に保持する。
なお、ブラケット１２は、２箇所のネジ孔１２ｃ，１２ｄが、回転軸２０ａを介して対向するように、設けられている。これは、左右反転させることにより、左側Ｘ１及び右側Ｘ２のブラケット１２を部品共通にして、低コストにするためである。
【００２５】
遮蔽板４０は、親落ち孔７の大きさを変更する平板状の部材である。遮蔽板４０は、回転軸２０ａを中心に回転可能に設けられている。前述したように、回転軸２０ａが拡張部分６３の傾き方向Ａに直交しているので、遮蔽板４０は、傾き方向Ａに平行な面内を回転移動する。
図５に示すように、遮蔽板４０は、遮蔽部分４１、操作部４２、保持孔４３を有する。
遮蔽部分４１は、回転軸２０ａ回りに回転移動することにより、開口孔７ａの一部を覆って、親落ち孔７の大きさを実際に変更する部分である。遮蔽部分４１は、回転軸２０ａ方向から見た形状が、回転軸２０ａを中心とするほぼ扇形状の部材である。このため、遮蔽部分４１は、２つの半径部４１ａ，４１ｂ及び円弧部４１ｃ（外縁部）によって囲まれたような形状である。
【００２６】
傾き方向手前側Ａ１の半径部４１ａは、親落ち孔７の傾き方向奥側Ａ２の縁部を形成する。
円弧部４１ｃは、回転軸２０ａを中心とする円の円弧である。このため、図５において、遮蔽板４０の回転移動領域は、半径部４１ａ，４１ｂを半径とする円よりも内側になる。
これにより、遮蔽板４０は、回転支持部２０から半径部４１ａ，４１ｂの回転スペースがあれば、回転軸２０ａ回りに回転移動でき、省スペースで設置できる。
【００２７】
操作部４２は、遮蔽部分４１に一体的に設けられ作業者（遊技場の管理者等）が操作可能な部分である。操作部４２は、回転支持部２０を介して円弧部４１ｃに対向配置されている。
遮蔽板４０の操作部４２の形状は、回転支持部２０を中心とする円の円弧である。このため、操作部４２は、作業者が手の指で回転移動するように操作でき、また回転半径が変化しないので、操作性を向上できる。
【００２８】
保持孔４３は、遮蔽板４０を保持するために、回転保持部３０のボルト３１を挿通する開口孔である。保持孔４３は、回転軸２０ａを中心とする円弧状に形成されている。円弧の長さは、遮蔽板４０の回転範囲に対応するような長さに設定されている。保持孔４３は、操作部４２内に配置されている。これは、操作部４２を操作しながら、回転保持部３０を操作できるようにして、操作性を向上するためである。
【００２９】
なお、遮蔽板４０は、平板状の部材であるので、ブラケット１２と同様に、左側Ｘ１及び右側Ｘ２の部品を共通にできる。このように、ゲーム機１は、親落ち孔７の大きさを調整するための部品を、共通にできるため、低コストである。
【００３０】
親落ち孔７は、開口孔７ａの傾き方向奥側Ａ２を、遮蔽板４０によって遮蔽されることにより形成される。このため、親落ち孔７は、開口孔７ａの傾き方向手前側Ａ１に形成される。
開口孔７ａの手前側Ｙ１に親落ち孔７を形成する理由は、以下の通りである。
親落ち孔７を傾き方向奥側Ａ２に形成してしまうと、固定テーブル６２の奥側Ｙ２のうち左右方向Ｘ外側には、壁がなくなってしまう。このため、固定テーブル６２の奥側Ｙ２のうち左右方向Ｘ外側の領域に位置するメダルＭのほとんどは、往復テーブル６１の往復移動にともない、左右方向Ｘに移動し、手前側Ｙ１に移動しにくくなる。そのため、メダルＭの移動が不自然になり、プレイヤに親落ち孔７の存在を気付かれてしまう。これを防止するために、ゲーム機は、親落ち孔７を開口孔７ａの手前側Ｙ１に形成している。
【００３１】
図２に示すように、カバー５０は、親落ち孔７及び遮蔽板４０の存在をプレイヤに気付かれないように、親落ち孔７よりも固定テーブル６２側の部分を覆う部材である（図１参照）。カバー５０は、つば５１、窓部５２を有している。
つば５１は、カバー５０の下側Ｚ１に設けられている。つば５１は、固定テーブル６２側に突出するように設けられている。つば５１の下側Ｚ１は、固定テーブル６２との間に隙間が設けられており、この隙間を、固定テーブル６２上のメダルＭが親落ち孔７に向けて移動する（図１参照）。
通常、プレイヤは、固定テーブル６２を見下ろすようにプレイする。このため、つば５１は、プレイヤの親落ち孔７及び遮蔽板４０の円弧部４１ｃへの視線を遮ることができる。これにより、ゲーム機１は、親落ち孔７等をプレイヤから見えにくい構造にできる。
【００３２】
窓部５２は、カバー５０の上部に設けられた開口孔である。窓部５２は、操作部４２及び回転保持部３０が、固定テーブル６２側から見えるように配置されている。これにより、作業者は、プレイ領域の内側から窓部５２に手や工具を挿入して、遮蔽板４０を操作することができる。
このように、カバー５０は、親落ち孔７及び遮蔽板４０をカバーし、固定テーブル６２側から操作部４２及び回転保持部３０を操作する窓部５２を有するので、プレイヤから親落ち孔７近傍の構成を見えにくくできるとともに、良好な操作性を維持できる。
【００３３】
次に、親落ち孔７の大きさを、図５の状態（親落ち孔７の大きさが小さい状態）から図６の状態（親落ち孔７の大きさが大きい状態）に変更する例を説明する。作業者は、以下の手順に従って、親落ち孔７の大きさを大きくすることができる。
（１）図５に示すように、工具（ドライバ等）の先端を、プレイ領域側からカバー５０の窓部５２（図２（ｃ）参照に挿入して、回転保持部３０のボルト３１を緩める。
（２）カバー５０の窓部５２から、指を入れて、遮蔽板４０の操作部４２を操作して、遮蔽板４０を図５の左回りに回転する。
（３）遮蔽板４０を図６に示す位置に配置したら、再び工具の先端を挿入して、回転保持部３０のボルト３１を締める。このとき、ボルト３１の締め付けにともない遮蔽板４０が回転しないように、操作部４２を指で押さえるとよい。
このように、ゲーム機１は、簡単な作業によって、親落ち孔７の大きさを変更できる。
【００３４】
また、ゲーム機１は、遮蔽板４０が回転軸２０ａ回りに回転移動して親落ち孔７の大きさを変更するので、遮蔽部分４１の最大外形部の回転半径分のスペースが傾き方向奥側Ａ２にあればよいため、親落ち孔７の大きさを変更する構成を省スペースにできる。
【００３５】
ここで、前述したように、固定テーブル６２は、拡張部分６３を有し、親落ち孔７は、拡張部分６３の側部に設けられている。
図３、図５に示すように、このような配置の場合、拡張部分６３よりも外側の領域であって、親落ち孔７よりも傾き方向奥側Ａ２の部分（図３、図５に示す二点鎖線Ｂ付近）は、往復テーブル６１及びその近傍の構成部品に干渉してしまうため、遮蔽板４０が移動するための大きなスペースを設けることができない。
実施形態では、遮蔽板４０の移動スペースを省スペースにできるので、遮蔽板４０をこれらの構成部品に干渉させることなく移動できる。
【００３６】
図７は、比較例の親落ち孔１０７近傍を示す上面図である（図３に相当する図）。
図８は、比較例の親落ち孔１０７近傍の断面図の拡大図である（図５に相当する図）。
なお、比較例の説明及び図面において、実施形態と同様の機能を果たす部分には、同一の符号又は末尾に同一の符号を付して、重複する説明を適宜省略する。
比較例は、従来の親落ち孔１０７の構成であり、拡張部分１６３の傾き方向Ａ１に沿ってスライド板１４０をスライド（直動）させるものである。
【００３７】
図７、図８中、実線で示したスライド板１４０は、親落ち孔１０７を図５と同程度まで遮蔽する位置に配置された状態である（親落ち孔１０７が小さい状態）。一方、破線で示したスライド板１４０は、親落ち孔１０７を図６と同程度の大きさまで開口する位置に配置された状態である（親落ち孔１０７が大きい状態）。
スライド板１４０は、実施形態の遮蔽板４０と同程度まで親落ち孔１０７を遮蔽しようとすると、傾き方向Ａ１において、実線で示す程度の長さが必要になる。
そして、実施形態の遮蔽板４０と同程度まで親落ち孔１０７を開口しようとすると、傾き方向Ａ１において、破線で示す位置にまでスライドして後退させなければならない。この場合、スライド板１４０の後端１４０ａは、実施形態の遮蔽板４０の後端の位置よりも傾き方向奥側Ａ２に配置される。なお、比較のため、図６には、孔の後端から遮蔽板４０の後端までの長さをＬ１で示し、図８には、孔の後端からスライド板１４０の後端までの長さをＬ１０１で示した。
【００３８】
図７に示すように、比較例のスライド板１４０は、親落ち孔１０７を開口しようとすると、後端１４０ａが往復テーブル１６１や、その近傍の構成部品に干渉する方向に移動する。このため、スライド板１４０は、これらとの干渉を防止するために、左右方向Ｘにおいて、実施形態の遮蔽板４０よりも、外側に配置しなければならない（矢印Ｃ参照）。そのため、比較例のゲーム機は、左右方向Ｘの大きさが大きくなり、大型になる。
これに対して、実施形態のゲーム機１は、遮蔽板４０は、傾き方向Ａ１における移動範囲が小さいため、小型化できる。
【００３９】
また、比較例のゲーム機は、スライド板１４０をガイドするために、下側Ｚ１及び上側Ｚ２にレール等が必要であり、構成が複雑になり、さらに、左側Ｘ１及び右側Ｘ２のスライド板１４０を部品共通にすることが困難になるため、高コストである。
これに対して、実施形態のゲーム機１は、前述したように、遮蔽板４０を移動する構成を簡単にできるし、左側Ｘ１及び右側Ｘ２の遮蔽板４０を部品共通にできるので、低コストである。
【００４０】
以上説明したように、実施形態のゲーム機は、親落ち孔７の大きさを調整するための構成を、省スペース、簡単にできるため、小型化でき、また低コストである。
【００４１】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００４２】
（変形形態）
（１）実施形態において、遮蔽板４０は、作業者が手で操作する例を示したが、これに限定されない。例えば、遮蔽板４０を回転支持部２０の回転軸２０ａを中心に回転駆動するＤＣモータ等の駆動部と、駆動部を制御する制御部とを設けてもよい。この場合、ＤＣモータ等の駆動部の回転軸を、回転支持部２０の回転軸２０ａに直接接続することができるので、構造を簡単にできる。
【００４３】
（２）実施形態において、遮蔽部分４１は、回転軸２０ａを中心とする円の円弧部４１ｃを有する例を示したが、これに限定されない。例えば、遮蔽部分４１は、円弧部４１ｃではなく、弦状に外形を有していてもよい。
【符号の説明】
【００４４】
１…ゲーム機    ６…プッシャ台    ７…親落ち孔    ７ａ…開口孔    １２…ブラケット    １２ｃ，１２ｄ…ネジ孔    １２ｄ…ネジ孔    ２０…回転支持部    ２０ａ…回転軸    ２１…ボルト    ３０…回転保持部    ３１…ボルト    ４０…遮蔽板    ４１…遮蔽部分    ４１ｃ…円弧部    ４２…操作部    ４３…保持孔    ６２…固定テーブル    ６１…往復テーブル    ６３…拡張部分
【図１】
0005859727.tif 000002
【図２】
0005859727.tif 000003
【図３】
0005859727.tif 000004
【図４】
0005859727.tif 000005
【図５】
0005859727.tif 000006
【図６】
0005859727.tif 000007
【図７】
0005859727.tif 000008
【図８】
0005859727.tif 000009